(57)【要約】      （修正有）【課題】体積が小さく、収納運送を便利に早く行える、ウエスト腹部運動健康器具を提供する。【解決手段】床面上に置くサポート台１と、その前端箇所に固定した腰掛部クッション２と、腰掛部クッション前方のサポート台上に設けた足部の引掛棒１１と、腰掛部クッション後方のサポート台上に枢設し、挿入部品で固定できる回転可能な板支持体３と、板支持体の前端に枢着した回転可能な背部クッション４と、後端に円弧形状の連結片を備えるとともに枢着する横棒体の両端に固着するハンドル５とを含み、ハンドルは軸連結棒３３を用いて背部クッションに枢着される。板支持体３後端の円弧形状の連結片上では支持棒体の固定を調整ができ、背部クッションを適当な傾斜角度に支えることができる。またサポート台は連結体１０で取り付け取り外しができる。【選択図】図１
0003184270.tif 000002
【実用新案登録請求の範囲】
【請求項１】
ウエスト腹部運動健康器具において、
サポート台、腰掛部クッション、板支持体、背部クッション及びハンドルにより構成され、
前記サポート台は床面上に置く弓形の支持用フレームであり、前端箇所には前記腰掛部クッションを固定し、
前記腰掛部クッション前方のサポート台上には足部の引掛棒を設け、
前記腰掛部クッション後方のサポート台上には挿入部品で固定できる回転可能な前記板支持体を枢設し、
前記板支持体の前端には回転可能な前記背部クッションを枢着し、
前記板支持体の後端には円弧形状の連結片を備えるとともに横棒体を枢着し、
前記横棒体の両端には前記ハンドルを固着し、軸連結棒を用いて前記背部クッションを枢着し、
また、前記板支持体後端の円弧形状の連結片上には支持棒体を固定して前記背部クッションの背部を支え、これにより前記背部クッションを斜角度にすることを特徴とするウエスト腹部運動健康器具。
【請求項２】
前記サポート台は連結体で連結して構成されることを特徴とする請求項１に記載のウエスト腹部運動健康器具。
【請求項３】
前記板支持体後端の円弧形状の連結片上の支持棒体はその固定を調整することができ、異なる傾斜角度となることを特徴とする請求項１に記載のウエスト腹部運動健康器具。
【考案の詳細な説明】
【技術分野】
【０００１】
本考案は、ウエスト腹部運動健康器具に関する。
【背景技術】
【０００２】
飲食の不均衡及び運動場所や運動量の欠乏から、人々は身体の健康をますます重視するようになり、これに応じて運動健康器具が生まれた。しかし、現在、ウエスト腹部をトレーニングする健康器具は非常に少ない。あったとしても、価格が非常に高いか、重量がある等、体積が非常に大きくスペースをとり、更なる研究、改善が必要である。
【考案の概要】
【考案が解決しようとする課題】
【０００３】
本考案の目的はウエスト腹部運動健康器具を提供することにある。
【課題を解決するための手段】
【０００４】
床面上に置くサポート台と、その前端箇所に固定した腰掛部クッションと、腰掛部クッション前方のサポート台上に設けた足部の引掛棒と、腰掛部クッション後方のサポート台上に枢設し、挿入部品で固定できる回転可能な板支持体と、板支持体の前端に枢着した回転可能な背部クッションと、後端に円弧形状の連結片を備えるとともに枢着する横棒体の両端に固着するハンドルとを含み、ハンドルは軸連結棒を用いて背部クッションに枢着される。また、板支持体後端の円弧形状の連結片上では支持棒体の固定を調整することができる。支持棒体を調整することにより適当位置に固定され、背部クッションを適当な傾斜角度に支えることができる。その後、挿入部品で板支持体を固定するかどうかを選択してから、腰掛部クッション上に再び座り、背部を背部クッションに凭れかけ、両足を引掛棒に引き掛ける。両手を使ってハンドルを引っ張り、背部クッションを動かして前方に身体を起こさせるか後ろに横たわらせ、仰向け起き上がりの運動を生じさせる。また、ウエストと腹部の左右に力を入れて背部クッションを左右回転させると、往復移動運動を生じさせ、ウエスト、腹部、臀部の運動作用を実現する。
【考案の効果】
【０００５】
本考案のウエスト腹部運動健康器具は、ウエスト腹部のトレーニング効果を発揮するとともに、体積を縮小して収納運送を便利にスピーディに行なう効果を備える。
【図面の簡単な説明】
【０００６】
【図１】本考案実施例の立体図である。
【図２】本考案実施例の立体分解図である。
【図３】本考案実施例の板支持体箇所の立体分解図である。
【図４】本考案実施例使用時の立体図である。
【図５】本考案実施例使用時の立体図である。
【図６】本考案実施例使用時の立体図である。
【図７】本考案実施例使用時の立体図である。
【図８】本考案実施例使用時の立体図である。
【図９】本考案実施例使用時の立体図である。
【考案を実施するための形態】
【０００７】
本考案の技術内容、構造特徴、達成する目的を詳細に説明するため、以下に実施例を挙げ並びに図面を組み合わせて説明する。
【０００８】
図１から図９に示すとおり、本考案は主に、サポート台１、腰掛部クッション２、板支持体３、背部クッション４、及びハンドル５により構成される。
【０００９】
そのうち、サポート台１は床面上に置く弓形の支持用フレームであり、連結体１０箇所で連結及び分解できるため、体積を縮小し、保管や運送に便利である。サポート台１の前端箇所には腰掛部クッション２を固定し、腰掛部クッション２前方のサポート台１上には引掛棒１１を設ける。腰掛部クッション２後方のサポート台１上には挿入部品３０で固定できる回転可能な板支持体３を枢設する。板支持体３の前端には回転可能な背部クッション４を枢着し、後端には円弧形状の連結片３１を備えるとともに横棒体３２を枢着し、横棒体３２の両端にはハンドル５を固着し、軸連結棒３３を用いて背部クッション４を枢着する。また、板支持体３後端の円弧形状の連結片３１上では挿入部品３５を用いて支持棒体３４の固定を調整し、背部クッション４の背部を支える。これにより背部クッション４を後ろに倒した時に適当な傾斜角度が形成される。
【００１０】
実際に操作をし使用する場合、使用者は連結体１０を用いてサポート台１を連結し、並びに、床面に置いた後、支持棒体３４を調整して円弧形状の連結片３１を適当位置に固定し、後方に倒された背部クッション４が適当な傾斜角度に支えられるようにする。その後、挿入部品３０で板支持体３を固定するかを選択してから、腰掛部クッション２上に再び座り、背部を背部クッション４に凭れかけ、両足を引掛棒１１に引き掛ける。両手を使ってハンドル５を引っ張り、背部クッション４を動かして前方に身体を起こさせるか後ろに横たわらせ、仰向け状態か起き上がり状態にする。挿入部品３０で板支持体３を固定していない場合、ウエストと腹部の左右に力を入れて背部クッション４を左右回転させることができる。このように、左右往復回転運動を生じさせることも可能である。また、ウエスト、腹部、臀部の運動作用も実現する。使用後は、連結体１０でサポート台１を取り外して分解し体積を縮小することで保管及び運送に利便をはかり、収納及び使用が便利にスピーディに行なえる効果を発揮する。
【００１１】
本考案の構造及び装置は市場及び刊行物上にはまだ見られず、ウエスト腹部のトレーニング効果を発揮するとともに、体積を縮小して収納運送を便利にスピーディに行なう効果を備える。
【００１２】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１３】
１            サポート台
２            腰掛部クッション
３            板支持体
４            背部クッション
５            ハンドル
１０            連結体
１１            引掛棒
３０            挿入部品
３１            連結片
３２            横棒体
３３            軸連結棒
３４            支持棒体
３５            挿入部品
【図１】
0003184270.tif 000003
【図２】
0003184270.tif 000004
【図３】
0003184270.tif 000005
【図４】
0003184270.tif 000006
【図５】
0003184270.tif 000007
【図６】
0003184270.tif 000008
【図７】
0003184270.tif 000009
【図８】
0003184270.tif 000010
【図９】
0003184270.tif 000011